(57)【要約】      （修正有）【課題】棒状化粧料を出没自在とするとともに、与えられた衝撃等に対して、棒状化粧料の、湾曲、折れ、又は抜け等の不具合や、無駄を防止するものである。【解決手段】棒状化粧料繰出容器１の芯筒６と嵌合筒５よりなる空間内において、保護筒９、該保護筒９内で棒状化粧料１０の一端を把持するチャック８ａを形成する押棒８、及び該押棒８の雄ネジ部８ｂと噛合するネジ駒７からなる棒状化粧料保持ユニットＤを、芯筒６及び嵌合筒５に対して回転を規制し、軸線方向にスライド自在とするように保持し、該棒状化粧料保持ユニットＤにスプリング１１、１２によって付勢、保持するので、軸筒の回転により棒状化粧料を保護筒より出没自在とし、しかも衝撃等が与えられた場合には、棒状化粧料保持ユニット一体のスライドによりスプリングの圧縮と伸長を行って衝撃等を緩衝するので、棒状化粧料の不具合を防止できる。【選択図】図１
2018175244.tif 000002
【特許請求の範囲】
【請求項１】
キャップ、該キャップを脱着自在に装着可能とする繰出容器本体、繰出容器本体に保持される芯筒、繰出容器本体と芯筒とで形成される空間内において、ネジ駒と噛合する押棒の先端に一体に形成された複数の爪からなるチャック部によって把持される棒状化粧料を保護筒内で出没自在に保持し、且つ一体となって軸筒の中心を貫く軸線（以下、「軸線」という。）の長手方向にスライド自在となる棒状化粧料保持ユニット、及び該棒状化粧料保持ユニットを軸線上の先端及び後端方向から保持するスプリングとから構成され、
該繰出容器本体と芯筒とは相互に回転可能となるように保持し、
該繰出容器本体と棒状化粧料保持ユニットをなすネジ駒とは、回転を規制され、軸線の長手方向にスライド自在となるように固持し、
該芯筒と、棒状化粧料保持ユニットをなす保護筒とは、回転を規制され、軸線の長手方向にスライド自在となるように固持し、
該空間内において棒状化粧料保持ユニットに対し、軸線の長手方向へのスライドによって一方が圧縮すると同時に他方が伸長するようにスプリングを以て付勢してなる
ことを特徴とする棒状化粧料繰出容器。
【請求項２】
棒状化粧料保持ユニットをなし、保護筒内において押棒の先端に形成されるチャック部に把持される棒状化粧料に揮発性油分を配合する
ことを特徴とする請求項１記載の棒状化粧料繰出容器。
【請求項３】
キャップと、繰出容器本体との間に弾性を有するＯリング等を装着する
ことを特徴とする請求項１又は２に記載された棒状化粧料繰出容器。
【発明の詳細な説明】
【技術分野】
【０００１】
本願発明は、アイブロー、アイライナー、リップライナー、口紅等の棒状化粧料（以下、「棒状化粧料」という。）を出没自在に収容する棒状化粧料繰出容器に関する。
【背景技術】
【０００２】
通常、上記棒状化粧料を出没自在に収容する容器には、一端に棒状化粧材を把持する腔部を具え、その外面に雄ネジを設ける押棒と、該押棒の外面に設けられた雄ネジと係合するラセン溝を内面に切られたメネジ部材とからなる繰出機構によって、該押棒の一端に具えられる腔部に把持される棒状化粧料を容器本体内外へ出没自在としてなるものがある（特許文献１参照）。
【０００３】
ところが、近年、使用性の向上のために、より柔軟な棒状化粧料の採用が進められており、上記棒状化粧料の容器では使用時における高い塗布圧力、携帯時の振動、並びに落下時の衝撃等の外部からの入力を緩衝できないため、棒状化粧料に対して湾曲、芯折れ、並びに芯抜け等の不具合が生じ易いものである。
【０００４】
そのため、外部からの入力によって芯折れや芯抜けの不具合が生じないように、棒状物の外周面と芯筒内面とを密着する様に、充填部材内に押出部とともに溶解した棒状物を充填、固化させ、移動体の先端に設けた押出部を充填部材内を摺動させることによって、棒状物を突出させるものが提案されている（特許文献２参照）が、充填部材から棒状物を突出させるために一度前進させてしまうと、棒状物を後退させることはできないので、特に過剰に突出させてしまった場合には、棒状物が無駄になるという不具合が生じてしまうものである。
【先行技術文献】
【特許文献】
【０００５】
【特許文献１】特開平６−２０９８２２号公報
【特許文献２】特開２００７−２８９４２０号公報
【発明の概要】
【発明が解決しようとする課題】
【０００６】
そこで、本願発明は、柔軟な棒状化粧料に対して、使用時における高い塗布圧力、携帯時の振動、並びに落下時の衝撃等の外部からの入力を緩衝して、湾曲、芯折れ、並びに芯抜け等の不具合を防止し、しかも該棒状化粧料の出没を円滑に行って無駄をなくすことができるようにするものである。
【課題を解決するための手段】
【０００７】
第１の特徴として、
キャップ、該キャップを脱着自在に装着可能とする繰出容器本体、繰出容器本体に保持される芯筒、繰出容器本体と芯筒とで形成される空間内において、ネジ駒と噛合する押棒の先端に一体に形成された複数の爪からなるチャック部によって把持される棒状化粧料を保護筒内で出没自在に保持し、且つ一体となって軸筒の中心を貫く軸線（以下、「軸線」という。）の長手方向にスライド自在となる棒状化粧料保持ユニット、及び該棒状化粧料保持ユニットを軸線上の先端及び後端方向から保持するスプリングとから構成され、
該繰出容器本体と芯筒とは相互に回転可能となるように保持し、
該繰出容器本体と棒状化粧料保持ユニットをなすネジ駒とは、回転を規制され、軸線の長手方向にスライド自在となるように固持し、
該芯筒と、棒状化粧料保持ユニットをなす保護筒とは、回転を規制され、軸線の長手方向にスライド自在となるように固持し、
該空間内において棒状化粧料保持ユニットに対し、軸線の長手方向へのスライドによって一方が圧縮すると同時に他方が伸長するようにスプリングを以て付勢してなるものである。
【０００８】
そのため、棒状化粧料の塗布を行う場合には、芯筒を把持した上で繰出容器本体を回転させることによって、棒状化粧料保持ユニットをなすネジ駒は回転する。
そして、該ネジ駒が回転することによってネジ駒の内周面に形成される雌ネジ部と噛合する雄ネジ部を外周面に形成する押棒も回転するものである。
このとき、押棒は保護筒とは回転を規制され、軸線方向にスライド自在であるので、保護筒は把持された芯筒によって回転が規制され、さらに保護筒によって押棒のチャック部も回転が規制されているので、保護筒内で該押棒の先端に形成されたチャック部は軸線上の先端方向へ前進するものとなる。
その結果、保護筒内に保持される棒状化粧料は保護筒の先端の開口より突出するので、使用に供することができる。
【０００９】
一方、棒状化粧料の塗布後は、芯筒を把持した上で繰出容器本体を反対方向へ回転させることによって、棒状化粧料保持ユニットをなすネジ駒も同方向に回転する。
そして、該ネジ駒が回転することによってネジ駒の内周面に形成される雌ネジ部と噛合する雄ネジ部を外周面に形成する押棒も同方向に回転するものである。
このとき、押棒は保護筒とは回転を規制され、軸線方向にスライド自在であるが、保護筒は把持された芯筒によって回転が規制され、さらに保護筒によって押棒のチャック部は回転が規制されているので、保護筒内で該押棒の先端に形成されたチャック部は軸線上の後端方向へ後退するものとなる。
その結果、保護筒内に保持される棒状化粧料は保護筒の先端の開口より没入するので、棒状化粧料繰出容器内に収容することができる。
【００１０】
そして、棒状化粧料保持ユニットでは、保護筒と押棒とは、保護筒に対して、押棒の先端で棒状化粧料の一端を把持するチャック部は回転を規制され、軸線の長手方向にスライド自在となるように係合するとともに、ネジ駒と押棒とは、ネジ駒の内周面に形成される雌ネジ部と雄ネジ部の外周面に形成される雄ネジ部とを噛合させることによって一体となっている。
そのため、棒状化粧料繰出容器を落下させて衝撃が与えられた場合には、棒状化粧料保持ユニットは、芯筒及び繰出容器本体に対して軸線上の長手方向にスライド自在であるので、該棒状化粧料保持ユニットは一体となって落下方向に応じて芯筒と繰出容器本体とで形成される空間内を軸線の長手方向へスライドするとともに、該棒状化粧料保持ユニットを軸線上の一方から付勢するスプリングを圧縮させると同時に、軸線上の他方から付勢するスプリングを伸長させるものとなる。
その結果、棒状化粧料繰出容器に与えられた衝撃は上記二つのスプリングの圧縮と伸長によって緩衝されて、保護筒内に保持される棒状化粧料の抜けや折れ等の不具合を防止することができる。
【００１１】
第１の特徴を踏まえて、第２の特徴として、
棒状化粧料保持ユニットをなし、保護筒内において押棒の先端に形成されるチャック部に把持される棒状化粧料に揮発性油分を配合するものである。
【００１２】
そのため、棒状化粧料保持ユニットをなす棒状化粧料が化粧料の付きや伸びを向上させ、容易に化粧料の塗布ができるように柔軟とされるものであっても、棒状化粧料を棒状化粧料繰出容器内外へ円滑に出没させることができるとともに、該棒状化粧料繰出容器に対する衝撃に対しても、棒状化粧料を有する棒状化粧料保持ユニットがスライドして衝撃を十分に緩衝し、棒状化粧料における抜けや折れなどの不具合をより確実に防止できるものである。
【００１３】
第１の特徴乃至第２の特徴を踏まえて、第３の特徴として、
キャップと、繰出容器本体との間に弾性を有するＯリング等を装着するものである。
【００１４】
そのため、第１の特徴乃至第２の特徴による作用効果とともに、棒状化粧料に含有される揮発性油分が蒸発することによる劣化を確実に防止することができるものである。
【発明の効果】
【００１５】
本願発明は、棒状化粧料繰出容器において、棒状化粧料の出没を可能として無駄をなくすとともに、高い塗布圧力、携帯時の振動、及び落下時の衝撃が与えられてしまっても、棒状化粧料を有する棒状化粧料保持ユニットが芯筒及び繰出容器本体のなす空間を軸線の長手方向に一体となってスライドするとともに、この棒状化粧料保持ユニットを軸線上の先端方向及び後端方向から付勢するスプリングの圧縮と伸長とによって緩衝されるので、棒状化粧料の芯抜けや芯折れ等などの不具合をも防止できる優れた効果を有するものである。
【図面の簡単な説明】
【００１６】
【図１】図１は、本願発明の実施例である棒状化粧料繰出容器の全体縦断面図である。
【図２】図２（イ）は、図１のＡ−Ａ横断面図、（ロ）は図１のＡ’−Ａ’横断面図、及び（ハ）は、図１のＡ”−Ａ”横断面図である。
【図３】図３は、本願発明の実施例である棒状化粧料繰出容器において、図２（イ）の横断面図に示すＡ−Ｏ−Ａ方向への組み合わせ縦断面図である。
【図４】図４は、本願発明の実施例である棒状化粧料繰出容器において、図２（イ）の横断面図に示すＡ−Ｏ−Ａ方向への組み合わせ縦断面図であって（イ）通常状態、（ロ）棒状化粧料保持ユニットが最も前進した状態、（ハ）棒状化粧料保持ユニットが最も後退した状態である。
【図５】図５は、本願発明の実施例である棒状化粧料繰出容器を構成する軸筒の全体斜視図である。
【図６】図６は、本願発明の実施例である棒状化粧料繰出容器を構成する芯筒の全体斜視図である。
【図７】図７は、本願発明の実施例である棒状化粧料繰出容器を構成する嵌合筒の全体斜視図である。
【図８】図８は、本願発明の実施例である棒状化粧料繰出容器を構成する棒状化粧料保持ユニットをなす保護筒の全体斜視図である。
【図９】図９は、本願発明の実施例である棒状化粧料繰出容器を構成する棒状化粧料保持ユニットをなす押棒の全体斜視図である。
【図１０】図１０は、本願発明の実施例である棒状化粧料繰出容器を構成する棒状化粧料保持ユニットをなすネジ駒の全体斜視図である。
【発明を実施するための形態】
【００１７】
棒状化粧料において、高い塗布圧力、携帯時の振動、及び落下時の衝撃が与えられても、棒状化粧料を有する棒状化粧料保持ユニットが芯筒及び繰出容器本体内の空間を軸線の長手方向にスライドしてスプリングを圧縮及び伸長させることによって衝撃を緩衝するので、棒状化粧料における無駄の他、芯抜けや芯折れ等などの不具合を防止する。
【実施例】
【００１８】
図面において示すのは、本願発明の実施例である棒状化粧料繰出容器１であり、該棒状化粧料繰出容器１は、キャップ２、該キャップ２を脱着自在に装着可能とする嵌合筒５を内部に固持する軸筒４からなる繰出容器本体３、軸筒４の内部に固持される嵌合筒５を介して保持される芯筒６、嵌合筒５と芯筒６と形成される空間内において、ネジ駒７と噛合する押棒８の先端に一体に形成された複数の爪からなるチャック部８ａによって把持される棒状化粧料１０を保護筒９内で出没自在に保持し、且つ一体となって軸筒４の中心を貫く軸線の長手方向にスライド自在となる棒状化粧料保持ユニットＤ、及び該棒状化粧料保持ユニットＤを先端及び後端方向から弾性を以て保持するスプリング１１、１２とから構成されるものである。
【００１９】
まず、キャップ２は、開口部方向の内周面に係止凸部２ａを周設し、該軸筒４に固持される嵌合筒５は、その開口部方向の外周面に係止凹部５ａを周設するとともに、その内周面に嵌合筒５の軸線の長手方向にスライド溝５ｂを溝設するものである。
そのため、キャップ２と、軸筒４に固持された嵌合筒５とは、キャップ２の開口部方向の内周面に周設される係止凸部２ａと嵌合筒５の外周面に周設される係止凹部５ａとを嵌着させることで一体となり、棒状化粧料繰出容器１内の気密性が維持されるものとなる。
【００２０】
そして、芯筒６は、その内周面に軸線の長手方向にスライド溝６ａを溝設するものである。
【００２１】
さらに、棒状化粧料保持ユニットＤにおいて、保護筒９は、その外周面に軸線の長手方向にスライド突起９ａを突設するとともに、その内周面に軸線の長手方向に案内溝９ｂを溝設するものである。
【００２２】
そして、押棒８は、その外周面に雄ネジ部８ｂを形成するとともに、その先端に保護筒９内で棒状化粧料１０を軸線方向にスライド自在とするように一端を把持するチャック部８ａを一体に形成するものである。
【００２３】
その上、該ネジ駒７は、その外周面に軸線の長手方向にスライド突起７ａを突設するとともに、その内周面の前方に雌ネジ部７ｂを形成するものである。
【００２４】
従って、棒状化粧料保持ユニットＤをなすネジ駒７、押棒８、保護筒９、及び棒状化粧料１０は、保護筒９と押棒８とは、保護筒９の内周面に軸線の長手方向に溝設する案内溝８ｂに対して、押棒８の先端で棒状化粧料１０の一端を把持するチャック部８ａを回転を規制され、軸線の長手方向にスライド自在となるように係合するとともに、ネジ駒７と押棒８とは、ネジ駒７の内周面に形成される雌ネジ部６ｂと押棒８の外周面に形成される雄ネジ部８ｂとを噛合させることによって一体となるものである。
【００２５】
そして、該棒状化粧料保持ユニットＤは、芯筒６の後端部５ｂと保護筒９の突縁９ｃとの間、及びネジ駒７の後端部７ｃと嵌合筒５の内底部５ｃとの間にスプリング１０、１１を連結して、棒状化粧料保持ユニットＤを付勢、保持するものである。
【００２６】
さらに、該棒状化粧料保持ユニットＤをなすネジ駒７及び保護筒９は、芯筒６の内周面及び嵌合筒５の内周面に溝設するスライド溝６ａ、５ｂに対して、その外周面に突設するスライド突起７ａ、９ａとが回転を規制され、軸線方向にスライド自在となるように係合するものである。
【００２７】
以上のとおり、本願発明の実施例である棒状化粧料繰出容器１は構成されているので、棒状化粧料１０の塗布にあたっては次のようになるものである。
まず芯筒６を把持した上で軸筒４を回転させることによって軸筒４と共に嵌合筒５も一体に回転するので、該嵌合筒５と一体となって回転する棒状化粧料保持ユニットＤをなすネジ駒７も回転する。
そして、該ネジ駒７が回転することによってネジ駒７の内周面に形成される雌ネジ部７ｂと噛合する雄ネジ部８ｂを外周面に形成する押棒８も回転するものとなる。
このとき、押棒８のチャック部８ａは保護筒９に回転を規制され、軸線方向にスライド自在ではあり、保護筒９は把持された芯筒６によって回転が規制され、さらに保護筒９によって押棒８のチャック部８ａも回転は規制されるので、保護筒９の案内溝９ｂ内で該押棒８の先端に形成されたチャック部８ａは軸線先端方向へ前進するものとなる。
その結果、保護筒９内に保持される棒状化粧料１０は保護筒９の先端の開口より突出するので、使用に供することができるものとなる。
【００２８】
一方、使用後は、芯筒６を把持した上で軸筒４を反対方向へ回動させることによって嵌合筒５も一体に同方向に回転するので、該嵌合筒５と一体となって回転する棒状化粧料保持ユニットＤをなすネジ駒７も同方向に回転する。
そして、該ネジ駒７が回転することによってネジ駒７の内周面に形成される雌ネジ部７ｂと噛合する雄ネジ部８ｂを外周面に形成する押棒８も同方向に回転するものとなる。
このとき、押棒８のチャック部８ａは保護筒９と回転を規制され、軸線方向にスライド自在であり、保護筒９は把持された芯筒６によって回転が規制され、さらに保護筒９によって押棒８のチャック部８ａは回転が規制されるので、保護筒９の案内溝８ｂ内で該押棒８の先端に形成されたチャック部８ａは軸線先端方向へ後退するものとなる。
その結果、保護筒９内に保持される棒状化粧料１０は保護筒９の先端の開口より没入して、棒状化粧料繰出容器１内に収容することができるものとなる。
【００２９】
また、上述のように保護筒９内に保持される棒状化粧料１０を芯筒６から出没自在にできるので、無駄を確実に防止することもできるものである。
【００３０】
さらに、上述のように、棒状化粧料保持ユニットＤをなすネジ駒７、押棒８、保護筒９、及び棒状化粧料１０は、保護筒９と押棒８とが保護筒９の内周面に軸線の長手方向に溝設する案内溝９ｂに対して、押棒８の先端で棒状化粧料１０の一端を把持するチャック部８ａを回転を規制し、軸線の長手方向にスライド自在となるように係合し、ネジ駒７と押棒８とがネジ駒７の内周面に形成される雌ネジ部７ｂと押棒８の外周面に形成される雄ネジ部８ｂとが噛合することで一体となっている。
【００３１】
そこで、図４（イ）乃至（ハ）において示すように、通常状態の棒状化粧料繰出容器１［同図（イ）参照］に対して落下等による衝撃が与えられた場合において、例えば先端方向から落下させた場合［同図（ロ）参照］には、棒状化粧料保持ユニットＤをなす保護筒９は芯筒６に対して軸線方向にスライド自在、及びネジ駒７は嵌合筒５に対して軸線方向にスライド自在であるので、該棒状化粧料保持ユニットＤは一体となって芯筒６及び嵌合筒５による空間内を軸線先端方向へスライドするとともに、芯筒６の後端部６ｃと保護筒９の突縁９ｃとの間に付勢、保持されたスプリング１１を圧縮させる一方で、ネジ駒７の後端部７ｃと嵌合筒５の内底部５ｃとの間に付勢、保持されたスプリング１２を伸長させるものである。
その結果、棒状化粧料繰出容器１に対して与えられた衝撃は上記二つのスプリング１１、１２の圧縮と伸長により緩衝されるので、保護筒９内に保持される棒状化粧料１０の芯抜け、芯折れ等の不具合を防止することができるものとなる。
【００３２】
一方、棒状化粧料繰出容器１を後端方向から落下させた場合［同図（ハ）参照］には、棒状化粧料保持ユニットＤをなす保護筒９は芯筒６に対して軸線方向にスライド自在、ネジ駒７は嵌合筒５に対して軸線方向にスライド自在であるので、該棒状化粧料保持ユニットＤは一体となって芯筒６及び嵌合筒５による空間内を軸線後端方向へスライドするとともに、芯筒６の後端部６ｃと保護筒９の突縁９ｃとの間に付勢、保持されたスプリング１１を伸長させる一方で、ネジ駒７の後端部７ｃと嵌合筒５の内底部５ｃとの間に付勢、保持されたスプリング１２を圧縮させるものとなる。
その結果、棒状化粧料繰出容器１に対して与えられた衝撃は上記二つのスプリング１１、１２の伸長と圧縮により緩衝されるので、保護筒９内に保持される棒状化粧料１０の芯抜け、芯折れ等の不具合を防止することができるものとなる。
【符号の説明】
【００３３】
１    棒状化粧料繰出容器
２    キャップ
２ａ  係止凸部
３    繰出容器本体
４    軸筒
５    嵌合筒
５ａ  係止凹部
５ｂ  スライド溝
５ｃ  内底部
６    芯筒
６ａ  スライド溝
６ｂ  後端部
７    ネジ駒
７ａ  スライド突起
７ｂ  雌ネジ部
７ｃ  後端部
８    押棒
８ａ  チャック部
８ｂ  雄ネジ部
９    保護筒
９ａ  スライド突起
９ｂ  案内溝
９ｃ  突縁
１０    棒状化粧料
１１  スプリング
１２  スプリング
Ｄ    棒状化粧料保持ユニット
【図１】
2018175244.tif 000003
【図２】
2018175244.tif 000004
【図３】
2018175244.tif 000005
【図４】
2018175244.tif 000006
【図５】
2018175244.tif 000007
【図６】
2018175244.tif 000008
【図７】
2018175244.tif 000009
【図８】
2018175244.tif 000010
【図９】
2018175244.tif 000011
【図１０】
2018175244.tif 000012